(57)【特許請求の範囲】
【請求項１】
２つの異なる通水回路の熱交換用パイプを上下一対のパイプ対にすると共に該パイプ対を、缶体内の上部に多数枚整列配置されたフィン板に対して、複数段で千鳥状に貫通させてなる１缶２回路式熱交換器であって、前記パイプ対は、必要熱量の大きい方の通水回路の熱交換用パイプを火炎に近い下パイプとすると共に必要熱量の小さい方の通水回路の熱交換用パイプを火炎から遠い上パイプとし、且つ全ての下パイプには、乱流コイルや切り起こし板等の水の急激な移動を阻止する部材を挿着し、上パイプについては最下段にあるパイプ対の上パイプについてのみ前記水の急激な移動を阻止する部材を装着したことを特徴とする１缶２回路式熱交換器。
【発明の詳細な説明】
【０００１】
【産業上の利用分野】
本発明は１缶２回路式熱交換器に関する。
【０００２】
【従来の技術】
１缶２回路式熱交換器は、１つの缶体内に、例えば給湯回路の熱交換用パイプと、風呂追い焚き回路の熱交換用パイプとを配設し、１つのバーナで前記給湯回路の熱交換加熱と風呂追い焚き回路の熱交換加熱とを兼用して行う装置である。かかる装置は、給湯回路と温水暖房回路との組み合わせにおいても用いることができる。
【０００３】
【発明が解決しようとする課題】
従来の１缶２回路式熱交換器においては、主たる通水回路、即ち必要熱量の大きい方の通水回路の単独使用時には、使用していない従たる通水回路、即ち必要熱量の小さい方の通水回路の熱交換用パイプが高温となり、突沸の問題が生じていた。
【０００４】
そこで本発明は、上記従来技術の問題を解消し、主たる通水回路の単独使用時にも、従たる通水回路に突沸等の生じない１缶２回路式熱交換器の提供を目的とする。
【０００５】
【課題を解決するための手段】
上記目的を達成するため、本発明の１缶２回路式熱交換器は、２つの異なる通水回路の熱交換用パイプを上下一対のパイプ対にすると共に該パイプ対を、缶体内の上部に多数枚整列配置されたフィン板に対して、複数段で千鳥状に貫通させてなる１缶２回路式熱交換器であって、前記パイプ対は、必要熱量の大きい方の通水回路の熱交換用パイプを火炎に近い下パイプとすると共に必要熱量の小さい方の通水回路の熱交換用パイプを火炎から遠い上パイプとし、且つ全ての下パイプには、乱流コイルや切り起こし板等の水の急激な移動を阻止する部材を挿着し、上パイプについては最下段にあるパイプ対の上パイプについてのみ前記水の急激な移動を阻止する部材を装着したことを特徴としている。
【０００６】
【作用】
上記本発明の特徴によれば、必要熱量の大きい方の通水回路（主たる通水回路）の単独使用時には、使用されていない必要熱量の小さい方の通水回路（従たる通水回路）側の熱交換用パイプ（上パイプ）が高温となる。この場合、千鳥状に複数段に配したパイプ対の内、最も火炎に近い最下段にあるパイプ対における不使用状態の上パイプが最も加熱される。が、その最下段の上パイプには、乱流コイルや切り起こし板等の水の急激な移動を阻止する部材が挿着されているので、前記部材によって、従たる通水回路内の水の急激な移動が阻止されると共に、前記部材を通じての伝熱で、熱交換用パイプ内の水の上下の温度差が従来に比べて減じられ、よって従たる通水回路内での局部突沸が防止されると共に、沸騰が起こっても、従来のように従たる通水回路の出口から熱湯が飛び出すような問題が生じない。
【０００７】
【実施例】
図１は本発明の実施例を示す要部の断面構成図である。
【０００８】
図１において、熱交換缶体10内の上部にフィン板20が多数枚整列配置され、この整列したフィン板20を貫通して給湯回路の熱交換用パイプ31と風呂追い焚き回路の熱交換用パイプ32とが設けられている。図１においてもフィン板20は紙面に垂直方向に多数枚が整列しており、その１枚が図示されている。そして必要熱量の大きい通水回路（主たる通水回路）である給湯回路の熱交換用パイプを火炎に近い下パイプ31とすると共に必要熱量の小さい通水回路（従たる通水回路）である風呂追い焚き回路の熱交換用パイプを上パイプ32として、上下一対のパイプ対30としている。パイプ対30はフィン板20に対して複数段、実施例では２段に、千鳥状に配されている。
フィン板20は最下段の各パイプ対30の中間領域を下縁から切り込んだ切り欠き21に構成することで、最下段のパイプ対30への伝熱量を適当に減じる一方、上段のパイプ対30への伝熱量を適当に増やして、下方のバーナからの火炎による熱量供給のアンバランスを減じるようにしている。勿論、この場合でも最下段のパイプ対30への熱量供給が大きい。
【０００９】
本発明においては、全てのパイプ対30における下パイプ31には、乱流コイルや切り起こし板等の水の急激な移動を阻止する部材40を挿着している。そして上パイプ32については最下段にあるパイプ対30における上パイプ32についてのみ前記水の急激な移動を阻止する部材40を挿着するようにしている。下パイプ31は下方からの火炎によって加熱されやすい位置にあるため、前記水の急激な移動を阻止する部材が挿着される。その一方、上パイプ32は下パイプ31の陰になるため火炎による急激な加熱がなされにくい状況にあるので、一般には前記水の急激な移動を阻止する部材40を挿着する必要がなく、よって従来は上パイプ32には水の急激な移動を阻止する部材が挿着されることがなかった。
しかしながら、最下段のパイプ対30に関しては、下方の火炎に近いため、下パイプ31のみならず上パイプ32も加熱されやすい状況にある。よって、本発明では、最下段のパイプ対30の上パイプ32に水の急激な移動を阻止する部材40を装着して、異常な高温に加熱されるのを防止すると共に、最下段以外のパイプ対30における上パイプ32には水の急激な移動を阻止する部材40の挿着を行わず、これによって部品コスト、組み立てコストの増大を抑制すると共に熱交換効率の低下の予防と循環抵抗の増大による部材への負担増大を最小限に抑えた。
【００１０】
今、必要熱量の大きい方の通水回路、即ち給湯回路の単独使用時には、使用されていない必要熱量の小さい方の通水回路、即ち風呂追い焚き回路側の熱交換用パイプ（上パイプ）32は、通水状態にないので、高温となりやすい。この場合、千鳥状に複数段に配したパイプ対30の内、最も火炎に近い最下段にあるパイプ対30における不使用状態の上パイプ32が最も加熱される。が、その最下段の上パイプ32には、乱流コイルや切り起こし板等の水の急激な移動を阻止する部材40が挿着されているので、該部材40によって、風呂追い焚き回路内の水の急激な移動が阻止されると共に、前記部材40を通じての伝熱で、熱交換用パイプ32内の水の上下の温度差が従来に比べて減じられ、よって風呂追い焚き回路の熱交換用パイプ32内での局部突沸が防止されると共に、沸騰が起こっても、風呂追い焚き回路の出口から熱湯が飛び出すような問題が生じない。
【００１１】
【発明の効果】
本発明は以上の構成よりなり、請求項１に記載の１缶２回路式熱交換器によれば、パイプ対は、必要熱量の大きい方の通水回路の熱交換用パイプを火炎に近い下パイプとすると共に必要熱量の小さい方の通水回路の熱交換用パイプを火炎から遠い上パイプとし、且つ全ての下パイプには乱流コイルや切り起こし板等の水の急激な移動を阻止する部材を挿着し、上パイプについては最下段にあるパイプ対の上パイプについてのみ前記水の急激な移動を阻止する部材を装着したので、必要熱量の大きい方の通水回路を単独使用する場合においても、残る必要熱量の小さい方の通水回路での突沸の問題を解消することができる。
最下段以外のパイプ対における上パイプには水の急激な移動を阻止する部材の挿着を行わないので、これによって部品コスト、組み立てコストの増大を抑制すると共に熱交換効率の低下の予防と循環抵抗の増大による部材への負担増大を最小限に抑えることができる。
【図面の簡単な説明】
【図１】本発明の実施例を示す要部の断面構成図である。
【符号の説明】
10  熱交換缶体
20  フィン板
30  パイプ対
31  下パイプ
32  上パイプ
40  水の急激な移動を阻止する部材
【図１】
0003687140.tif 000002